(57)【要約】【課題】脱塩素装置を備えつつも、逆浸透膜モジュールの内部における細菌の繁殖を抑制することができる純水製造装置を提供すること。【解決手段】脱塩素装置２と、逆浸透膜モジュール１１、１２と、電気脱イオンスタック２０と、脱塩素装置２により塩素成分が除去された供給水Ｗ１を逆浸透膜モジュール１１、１２に流通させる供給水ラインＬ１と、透過水ラインＬ２、Ｌ３と、脱塩水ラインＬ８と、逆浸透膜モジュール１１の一次側に滞留する供給水Ｗ１を系外へ向けて流通させる排出ラインＬ４１と、逆浸透膜モジュール１１の一次側に滞留する供給水Ｗ１を排出ラインＬ４１から系外に排出するように送り出す処理を実行可能な排出手段５と、需要箇所へ脱塩水Ｗ６を供給しない待機状態となってから所定時間経過した場合には、逆浸透膜モジュール１１の一次側に滞留する供給水Ｗ１を系外へ排出するように排出手段５を制御する制御部３０と、を備える。【選択図】図１
2014104398.tif 000002
【特許請求の範囲】
【請求項１】
原水に含まれる塩素成分を除去する脱塩素装置と、
前記脱塩素装置により塩素成分が除去された供給水から透過水を分離する逆浸透膜モジュールと、
前記逆浸透膜モジュールで分離された透過水を脱塩処理して脱塩水を得る電気脱イオンスタックと、
前記脱塩素装置により塩素成分が除去された供給水を前記逆浸透膜モジュールに流通させる供給水ラインと、
前記逆浸透膜モジュールで分離された透過水を前記電気脱イオンスタックに流通させる透過水ラインと、
前記電気脱イオンスタックで得られた脱塩水を需要箇所に向けて送出する脱塩水ラインと、
前記逆浸透膜モジュールの一次側に滞留する供給水を系外へ向けて流通させる排出ラインと、
前記逆浸透膜モジュールの一次側に滞留する供給水を前記排出ラインから系外に排出するように送り出す処理を実行可能な排出手段と、
需要箇所へ脱塩水を供給しない待機状態となってから所定時間経過した場合には、前記逆浸透膜モジュールの一次側に滞留する供給水を前記排出ラインを介して系外へ排出するように前記排出手段を制御する制御部と、
を備える純水製造装置。
【請求項２】
前記逆浸透膜モジュールで分離された透過水を前記逆浸透膜モジュールの上流側へ返送する第１循環水ラインと、
前記逆浸透膜モジュールで分離された透過水を前記逆浸透膜モジュールの上流側へ返送するように送り出す処理を実行可能な第１循環手段と、を更に備え、
前記制御部は、需要箇所へ脱塩水を供給しない待機状態となってから所定時間経過した場合には、前記逆浸透膜モジュールで分離された透過水を前記第１循環水ラインを介して前記逆浸透膜モジュールの上流側へ返送するように前記第１循環手段を制御し且つ前記逆浸透膜モジュールの一次側に滞留する供給水を前記排出ラインを介して系外へ排出するように前記排出手段を制御する第１工程を実行する
請求項１に記載の純水製造装置。
【請求項３】
前記電気脱イオンスタックの脱塩室を通過した水を前記逆浸透膜モジュールの上流側へ返送する第２循環水ラインと、
前記電気脱イオンスタックの脱塩室を通過した水を前記逆浸透膜モジュールの上流側へ返送するように送り出す処理を実行可能な第２循環手段と、を更に備え、
前記制御部は、需要箇所へ脱塩水を供給しない待機状態となってから所定時間経過した場合には、前記電気脱イオンスタックの脱塩室を通過した水を前記第２循環水ラインを介して前記逆浸透膜モジュールの上流側へ返送するように前記第２循環手段を制御し且つ前記逆浸透膜モジュールの一次側に滞留する供給水を前記排出ラインを介して系外へ排出するように前記排出手段を制御する第２工程を実行する
請求項１に記載の純水製造装置。
【請求項４】
前記供給水ラインにおける前記逆浸透膜モジュールの上流側に設けられ、供給水を貯留する供給水貯留タンクと、
前記供給水貯留タンクに貯留される供給水の水位を測定する水位測定手段と、
前記供給水ラインにおける前記供給水貯留タンクの上流側に設けられ、前記供給水ラインを開閉する供給水弁と、を備え、
前記制御部は、装置の通常運転時において前記水位測定手段により測定された前記供給水貯留タンクに貯留される供給水の水位が第１水位を下回る場合に前記供給水弁が開状態になるように制御し、前記逆浸透膜モジュールの一次側に滞留する供給水を前記排出ラインを介して系外へ排出するように前記排出手段を制御する動作の実行中において前記水位測定手段により測定された前記供給水貯留タンクに貯留される供給水の水位が前記第１水位よりも高い第２水位を下回る場合に前記供給水弁が開状態となるように制御する
請求項２又は３に記載の純水製造装置。
【請求項５】
供給水の温度又は外気の温度を測定する温度測定手段を更に備え、
前記制御部は、前記温度測定手段により測定された供給水の温度又は外気の温度が高いほど、待機状態となってからの前記所定時間を短くするように設定し、又は、前記排出ラインを介して供給水を排出する排出時間を長くするように制御する
請求項１から４のいずれかに記載の純水製造装置。
【請求項６】
前記電気脱イオンスタックの脱塩室を通過した水を前記逆浸透膜モジュールの上流側へ返送する第２循環水ラインと、
前記電気脱イオンスタックの脱塩室を通過した水を前記逆浸透膜モジュールの上流側へ返送するように送り出す処理を実行可能な第２循環手段と、
前記透過水ラインを流通する透過水の電気伝導率を測定する電気伝導率測定手段と、
警報を報知する報知手段と、を更に備え、
前記制御部は、前記第１工程の実行を開始してから第１時間が経過し、且つ純水の送水要求があった場合に前記透過水ラインを流通する透過水の電気伝導率を測定し、この透過水の電気伝導率が所定の伝導率閾値を上回る場合には前記報知手段による報知を実行するように制御し、続けて、前記電気脱イオンスタックへの通電を開始すると共に前記電気脱イオンスタックを通過して得られた脱塩水を前記第２循環水ラインを介して前記逆浸透膜モジュールの上流側へ返送する第３工程に移行させる
請求項２に記載の純水製造装置。
【請求項７】
前記電気脱イオンスタックの脱塩室を通過した水を前記逆浸透膜モジュールの上流側へ返送する第２循環水ラインと、
前記電気脱イオンスタックの脱塩室を通過した水を前記逆浸透膜モジュールの上流側へ返送するように送り出す処理を実行可能な第２循環手段と、
前記透過水ラインを流通する透過水の比抵抗を測定する電気的特性検出手段と、
警報を報知する報知手段と、を更に備え、
前記制御部は、前記第１工程の実行を開始してから第１時間が経過し、且つ純水の送水要求があった場合に前記透過水ラインを流通する透過水の比抵抗を測定し、この透過水の比抵抗が所定の比抵抗閾値を下回る場合には前記報知手段による報知を実行するように制御し、続けて、前記電気脱イオンスタックへの通電を開始すると共に前記電気脱イオンスタックを通過して得られた脱塩水を前記第２循環水ラインを介して前記逆浸透膜モジュールの上流側へ返送する第３工程に移行させる
請求項２に記載の純水製造装置。
【発明の詳細な説明】
【技術分野】
【０００１】
本発明は、原水に含まれる塩素成分を除去する脱塩素装置と、脱塩素装置により塩素成分が除去された供給水から透過水を分離する逆浸透膜モジュールと、透過水を脱塩処理して脱塩水を得る電気脱イオンスタックと、を備える純水製造装置に関する。
【背景技術】
【０００２】
半導体の製造工程や電子部品の洗浄、医療器具の洗浄等においては、不純物を含まない高純度の純水が使用される。この種の純水を製造する場合には、純水製造装置が用いられることがある。純水製造装置として、原水に含まれる塩素成分を除去する脱塩素装置としての活性炭濾過器と、活性炭濾過器により塩素成分が除去された原水（供給水）から透過水を分離する逆浸透膜モジュール（以下、「ＲＯ膜モジュール」ともいう）と、逆浸透膜モジュールで分離された透過水を脱塩処理して脱塩水を得る電気脱イオンスタック（以下、「ＥＤＩスタック」ともいう）と、を備える純水製造装置が知られている（例えば、特許文献１参照）。
【０００３】
ＲＯ膜モジュールは、単一又は複数のＲＯ膜エレメントを圧力容器に収容して構成されるものであるが、純水製造用のＲＯ膜は、近年、ポリアミド系のものが一般的になっている。ポリアミド系のＲＯ膜は、他の材質のものよりも高い塩除去率と水透過係数を有するが、供給水中に塩素成分が含まれていると、酸化劣化が進行しやすい。そのため、純水製造装置においては、一般に、水道水等の原水に含まれる塩素成分を活性炭濾過器により予め除去し、前処理された供給水をＲＯ膜モジュールに供給している。
【先行技術文献】
【特許文献】
【０００４】
【特許文献１】特開２００６−２５５６５０号公報
【発明の概要】
【発明が解決しようとする課題】
【０００５】
特許文献１に記載の純水製造装置においては、ＲＯ膜モジュールに対して塩素成分が除去された供給水が供給される。そのため、ＲＯ膜の酸化劣化が抑制されることにより、ＲＯ膜モジュールの高寿命化が期待される。その一方で、純水製造装置の採水待機状態においては、ＲＯ膜モジュールの一次側内部に塩素成分が除去された供給水が滞留し、ＲＯ膜の表面で細菌が繁殖する可能性がある。細菌の繁殖が進行した場合には、バイオファウリングによってＲＯ膜が閉塞することもあるため、活性炭濾過器のような脱塩素装置を備えつつも、ＲＯ膜モジュールの内部における細菌の繁殖を抑制することができる純水製造装置が望まれる。
【０００６】
本発明は、脱塩素装置を備えつつも、逆浸透膜モジュールの内部における細菌の繁殖を抑制することができる純水製造装置を提供することを目的とする。
【課題を解決するための手段】
【０００７】
本発明は、原水に含まれる塩素成分を除去する脱塩素装置と、前記脱塩素装置により塩素成分が除去された供給水から透過水を分離する逆浸透膜モジュールと、前記逆浸透膜モジュールで分離された透過水を脱塩処理して脱塩水を得る電気脱イオンスタックと、前記脱塩素装置により塩素成分が除去された供給水を前記逆浸透膜モジュールに流通させる供給水ラインと、前記逆浸透膜モジュールで分離された透過水を前記電気脱イオンスタックに流通させる透過水ラインと、前記電気脱イオンスタックで得られた脱塩水を需要箇所に向けて送出する脱塩水ラインと、前記逆浸透膜モジュールの一次側に滞留する供給水を系外へ向けて流通させる排出ラインと、前記逆浸透膜モジュールの一次側に滞留する供給水を前記排出ラインから系外に排出するように送り出す処理を実行可能な排出手段と、需要箇所へ脱塩水を供給しない待機状態となってから所定時間経過した場合には、前記逆浸透膜モジュールの一次側に滞留する供給水を前記排出ラインを介して系外へ排出するように前記排出手段を制御する制御部と、を備える純水製造装置に関する。
【０００８】
また、前記逆浸透膜モジュールで分離された透過水を前記逆浸透膜モジュールの上流側へ返送する第１循環水ラインと、前記逆浸透膜モジュールで分離された透過水を前記逆浸透膜モジュールの上流側へ返送するように送り出す処理を実行可能な第１循環手段と、を更に備え、前記制御部は、需要箇所へ脱塩水を供給しない待機状態となってから所定時間経過した場合には、前記逆浸透膜モジュールで分離された透過水を前記第１循環水ラインを介して前記逆浸透膜モジュールの上流側へ返送するように前記第１循環手段を制御し且つ前記逆浸透膜モジュールの一次側に滞留する供給水を前記排出ラインを介して系外へ排出するように前記排出手段を制御する第１工程を実行することが好ましい。
【０００９】
また、前記電気脱イオンスタックの脱塩室を通過した水を前記逆浸透膜モジュールの上流側へ返送する第２循環水ラインと、前記電気脱イオンスタックの脱塩室を通過した水を前記逆浸透膜モジュールの上流側へ返送するように送り出す処理を実行可能な第２循環手段と、を更に備え、前記制御部は、需要箇所へ脱塩水を供給しない待機状態となってから所定時間経過した場合には、前記電気脱イオンスタックの脱塩室を通過した水を前記第２循環水ラインを介して前記逆浸透膜モジュールの上流側へ返送するように前記第２循環手段を制御し且つ前記逆浸透膜モジュールの一次側に滞留する供給水を前記排出ラインを介して系外へ排出するように前記排出手段を制御する第２工程を実行することが好ましい。
【００１０】
また、前記供給水ラインにおける前記逆浸透膜モジュールの上流側に設けられ、供給水を貯留する供給水貯留タンクと、前記供給水貯留タンクに貯留される供給水の水位を測定する水位測定手段と、前記供給水ラインにおける前記供給水貯留タンクの上流側に設けられ、前記供給水ラインを開閉する供給水弁と、を備え、前記制御部は、装置の通常運転時において前記水位測定手段により測定された前記供給水貯留タンクに貯留される供給水の水位が第１水位を下回る場合に前記供給水弁が開状態になるように制御し、前記逆浸透膜モジュールの一次側に滞留する供給水を前記排出ラインを介して系外へ排出するように前記排出手段を制御する動作の実行中において前記水位測定手段により測定された前記供給水貯留タンクに貯留される供給水の水位が前記第１水位よりも高い第２水位を下回る場合に前記供給水弁が開状態となるように制御することが好ましい。
【００１１】
また、供給水の温度又は外気の温度を測定する温度測定手段を更に備え、前記制御部は、前記温度測定手段により測定された供給水の温度又は外気の温度が高いほど、待機状態となってからの前記所定時間を短くするように設定し、又は、前記排出ラインを介して供給水を排出する排出時間を長くするように制御することが好ましい。
【００１２】
また、前記電気脱イオンスタックの脱塩室を通過した水を前記逆浸透膜モジュールの上流側へ返送する第２循環水ラインと、前記電気脱イオンスタックの脱塩室を通過した水を前記逆浸透膜モジュールの上流側へ返送するように送り出す処理を実行可能な第２循環手段と、前記透過水ラインを流通する透過水の電気伝導率を測定する電気伝導率測定手段と、警報を報知する報知手段と、を更に備え、前記制御部は、前記第１工程の実行を開始してから第１時間が経過し、且つ純水の送水要求があった場合に前記透過水ラインを流通する透過水の電気伝導率を測定し、この透過水の電気伝導率が所定の伝導率閾値を上回る場合には前記報知手段による報知を実行するように制御し、続けて、前記電気脱イオンスタックへの通電を開始すると共に前記電気脱イオンスタックを通過して得られた脱塩水を前記第２循環水ラインを介して前記逆浸透膜モジュールの上流側へ返送する第３工程に移行させることが好ましい。
【００１３】
また、前記電気脱イオンスタックの脱塩室を通過した水を前記逆浸透膜モジュールの上流側へ返送する第２循環水ラインと、前記電気脱イオンスタックの脱塩室を通過した水を前記逆浸透膜モジュールの上流側へ返送するように送り出す処理を実行可能な第２循環手段と、前記透過水ラインを流通する透過水の比抵抗を測定する電気的特性検出手段と、警報を報知する報知手段と、を更に備え、前記制御部は、前記第１工程の実行を開始してから第１時間が経過し、且つ純水の送水要求があった場合に前記透過水ラインを流通する透過水の比抵抗を測定し、この透過水の比抵抗が所定の比抵抗閾値を下回る場合には前記報知手段による報知を実行するように制御し、続けて、前記電気脱イオンスタックへの通電を開始すると共に前記電気脱イオンスタックを通過して得られた脱塩水を前記第２循環水ラインを介して前記逆浸透膜モジュールの上流側へ返送する第３工程に移行させることが好ましい。
【発明の効果】
【００１４】
本発明によれば、脱塩素装置を備えつつも、逆浸透膜モジュールの内部における細菌の繁殖を抑制することができる脱塩水製造装置を提供することができる。
【図面の簡単な説明】
【００１５】
【図１】一実施形態に係る純水製造装置１の全体構成図である。
【図２】純水製造装置１の動作の処理手順を示すフローチャートである。
【図３】純水製造装置１の動作の処理手順を示すフローチャートである。
【発明を実施するための形態】
【００１６】
本発明の一実施形態に係る純水製造装置１について、図面を参照しながら説明する。図１は、一実施形態に係る純水製造装置１の全体構成図である。本実施形態に係る純水製造装置１は、例えば、原水（例えば、水道水）から脱塩水を製造する純水製造装置に適用される。純水製造装置で製造された脱塩水は、純水として、需要箇所等に送出される。なお、本実施形態の純水製造装置において、需要箇所等へ純水を供給することを「採水」ともいう。
【００１７】
図１に示すように、本実施形態に係る純水製造装置１は、脱塩素装置としての活性炭濾過器２と、プレフィルタ３と、供給水貯留タンクとしての原水タンク４と、排出手段としての加圧ポンプ５と、インバータ６と、逆浸透膜モジュールとしての第１ＲＯ膜モジュール１１及び第２ＲＯ膜モジュール１２と、電気脱イオンスタックとしてのＥＤＩスタック２０と、制御部３０と、報知手段としての報知部３１と、入力操作部３２と、直流電源装置３３と、を備える。
【００１８】
また、純水製造装置１は、供給水弁としての原水補給弁６１と、第１循環手段としての第１流路切換弁６２と、第２循環手段としての第２流路切換弁６３と、第３流路切換弁６４と、脱塩水リターン弁６５と、第１ＲＯ弁１０１〜第４ＲＯ弁１０４と、第１ＥＤＩ弁２０１〜第６ＥＤＩ弁２０６と、水位測定手段としての水位センサ４１と、タンク内電気伝導率センサ４２と、温度測定手段としてのタンク内温度センサ４３と、電気伝導率測定手段としての第１電気伝導率センサ５１と、圧力センサ５２と、第１流量センサ５３と、第２流量センサ５４と、第２電気伝導率センサ５５と、第３流量センサ５６と、第４流量センサ５７と、を備える。
【００１９】
図１では、電気的な接続の経路を省略するが、制御部３０は、原水補給弁６１、第１流路切換弁６２、第２流路切換弁６３、水位センサ４１、タンク内電気伝導率センサ４２、タンク内温度センサ４３、第１電気伝導率センサ５１、第２電気伝導率センサ５５、圧力センサ５２、第１流量センサ５３、第２流量センサ５４、第３流量センサ５６及び第４流量センサ５７と電気的に接続される。また、本実施形態においては、第３流路切換弁６４、脱塩水リターン弁６５、第１ＲＯ弁１０１〜第４ＲＯ弁１０４、及び第１ＥＤＩ弁２０１〜第６ＥＤＩ弁２０６は、手動により開閉状態を切り換えたり、弁開度を調整したりすることが可能な弁である。
【００２０】
また、純水製造装置１は、供給水ラインとしての原水ラインＬ１と、透過水ラインとしての第１透過水ラインＬ２及び第２透過水ラインＬ３と、第１ＲＯ濃縮水リターンラインＬ５と、排出ラインとしての第１ＲＯ濃縮水排出ラインＬ４１と、第２ＲＯ濃縮水リターンラインＬ６と、第１循環水ラインとしての第２ＲＯ透過水リターンラインＬ７と、第２ＲＯ透過水排出ラインＬ４２と、脱塩水ラインＬ８と、第２循環水ラインとしての脱塩水リターンラインＬ９と、ＥＤＩ濃縮水リターンラインＬ１０と、ＥＤＩ濃縮水排出ラインＬ４３と、ＥＤＩ電極水排出ラインＬ４４と、を備える。なお、本明細書における「ライン」とは、流路、径路、管路等の流体の流通が可能なラインの総称である。
【００２１】
原水ラインＬ１には、原水Ｗ１（供給水）が流通する。原水ラインＬ１は、原水Ｗ１を、活性炭濾過器２及び第１ＲＯ膜モジュール１１へ流通させるラインである。原水ラインＬ１は、活性炭濾過器２により塩素成分が除去された原水Ｗ１が流通されるラインである。原水ラインＬ１は、第１原水ラインＬ１１と、第２原水ラインＬ１２と、を有する。
【００２２】
第１原水ラインＬ１１は、原水Ｗ１の供給源（不図示）と原水タンク４とをつなぐラインである。第１原水ラインＬ１１の上流側の端部は、原水Ｗ１の供給源（不図示）に接続されている。また、第１原水ラインＬ１１の下流側の端部は、原水タンク４に接続されている。
【００２３】
第１原水ラインＬ１１には、上流側から順に、原水補給弁６１、活性炭濾過器２、プレフィルタ３、及び原水タンク４が設けられている。原水補給弁６１は、第１原水ラインＬ１１を開閉可能な弁である。原水補給弁６１は、制御部３０と電気的に接続されている。原水補給弁６１の開閉動作は、制御部３０からの流路開閉信号により制御される。
【００２４】
活性炭濾過器２は、原水Ｗ１に含まれる塩素成分（主として残留塩素）を除去する機器である。活性炭濾過器２は、圧力タンク内に活性炭からなる濾材床を有している。活性炭濾過器２は、原水Ｗ１に含まれる塩素成分を分解除去するほか、有機成分を吸着除去したり、懸濁物質を捕捉したりして原水Ｗ１を浄化する。
【００２５】
プレフィルタ３は、活性炭濾過器２により濾過された原水Ｗ１に含まれる微粒子を除去するフィルタである。プレフィルタ３は、ハウジング内にフィルタエレメントが収容されて構成される。フィルタエレメントとしては、例えば、濾過精度が１〜５０μｍの不織布フィルタエレメントや糸巻きフィルタエレメント等が用いられる。原水タンク４は、活性炭濾過器２及びプレフィルタ３を経て浄化された原水Ｗ１を供給水として貯留するタンクである。
【００２６】
第２原水ラインＬ１２は、原水タンク４と第１ＲＯ膜モジュール１１とをつなぐラインである。第２原水ラインＬ１２の上流側の端部は、原水タンク４に接続されている。また、第２原水ラインＬ１２の下流側の端部は、第１ＲＯ膜モジュール１１の一次側入口ポート（原水Ｗ１の入口）に接続されている。
【００２７】
第２原水ラインＬ１２には、上流側から順に、加圧ポンプ５、第１ＲＯ弁１０１、及び第１ＲＯ膜モジュール１１が設けられている。第１ＲＯ弁１０１は、第２原水ラインＬ１２における加圧ポンプ５と第１ＲＯ膜モジュール１１との間に設けられている。第１ＲＯ弁１０１は、第２原水ラインＬ１２を流通する原水Ｗ１の流量を調整可能な弁である。
【００２８】
加圧ポンプ５は、第２原水ラインＬ１２を流通する原水Ｗ１を吸入し、第１ＲＯ膜モジュール１１へ向けて圧送する装置である。加圧ポンプ５は、第１ＲＯ膜モジュール１１の一次側に滞留する原水Ｗ１を第１ＲＯ濃縮水排出ラインＬ４１から装置の外（系外）に排出するように送り出す処理を実行可能である。加圧ポンプ５には、インバータ６から周波数が変換された駆動電力が供給される。加圧ポンプ５は、供給された駆動電力の周波数（以下、「駆動周波数」ともいう）に応じた回転速度で駆動される。
【００２９】
インバータ６は、加圧ポンプ５に、周波数が変換された駆動電力を供給する電気回路（又はその回路を持つ装置）である。インバータ６は、制御部３０と電気的に接続されている。インバータ６には、制御部３０から指令信号が入力される。インバータ６は、制御部３０により入力された指令信号（電流値信号又は電圧値信号）に対応する駆動周波数の駆動電力を加圧ポンプ５に出力する。
【００３０】
第１ＲＯ膜モジュール１１は、活性炭濾過器２により塩素成分が除去され且つ加圧ポンプ５により圧送された原水Ｗ１を、溶存塩類が除去された第１透過水Ｗ２と、溶存塩類が濃縮された濃縮水Ｗ３と、に分離する。第１ＲＯ膜モジュール１１は、単一又は複数のスパイラル型ＲＯ膜エレメントを圧力容器（ベッセル）に収容して構成される。当該ＲＯ膜エレメントに使用されるＲＯ膜としては、架橋芳香族ポリアミド系複合膜などが例示される。架橋芳香族ポリアミド系複合膜からなるＲＯ膜エレメントとしては、東レ社製：型式名「ＴＭＧ２０−４００」、ウンジン・ケミカル社製：型式名「ＲＥ８０４０−ＢＬＦ」、日東電工社製：型式名「ＥＳＰＡ１」等が市販されており、これらのエレメントを好適に用いることができる。
【００３１】
第１ＲＯ濃縮水リターンラインＬ５は、第１ＲＯ膜モジュール１１で分離された濃縮水Ｗ３の一部を原水タンク４へ返送するラインである。第１ＲＯ濃縮水リターンラインＬ５は、上流側第１ＲＯ濃縮水リターンラインＬ５１と、下流側第１ＲＯ濃縮水リターンラインＬ５２と、を有する。
【００３２】
上流側第１ＲＯ濃縮水リターンラインＬ５１の上流側の端部は、第１ＲＯ膜モジュール１１の一次側出口ポート（濃縮水Ｗ３の出口）に接続されている。上流側第１ＲＯ濃縮水リターンラインＬ５１の下流側の端部は、分岐部Ｊ１１において、下流側第１ＲＯ濃縮水リターンラインＬ５２及び第１ＲＯ濃縮水排出ラインＬ４１に分岐されている。
【００３３】
下流側第１ＲＯ濃縮水リターンラインＬ５２の上流側の端部は、分岐部Ｊ１１に接続されている。下流側第１ＲＯ濃縮水リターンラインＬ５２の下流側の端部は、原水タンク４に接続されている。下流側第１ＲＯ濃縮水リターンラインＬ５２には、第２ＲＯ弁１０２が設けられている。第２ＲＯ弁１０２は、下流側第１ＲＯ濃縮水リターンラインＬ５２を流通する濃縮水Ｗ３の流量を調整可能な弁である。
【００３４】
第１ＲＯ濃縮水排出ラインＬ４１は、第１ＲＯ膜モジュール１１で分離された濃縮水Ｗ３の残部を、第１ＲＯ濃縮水リターンラインＬ５の途中から装置の外へ排出するように流通させるラインである。また、第１ＲＯ濃縮水排出ラインＬ４１は、第１ＲＯ膜モジュール１１の一次側に滞留する原水Ｗ１を装置の外（系外）へ向けて流通させるラインでもある。第１ＲＯ濃縮水排出ラインＬ４１の上流側の端部は、分岐部Ｊ１１に接続されている。第１ＲＯ濃縮水排出ラインＬ４１の下流側は、例えば、排水ピット（不図示）に接続又は開口している。第１ＲＯ濃縮水排出ラインＬ４１には、第３ＲＯ弁１０３が設けられている。第３ＲＯ弁１０３は、第１ＲＯ濃縮水排出ラインＬ４１を介して装置の外へ排出される濃縮水Ｗ３の排水流量を調整可能な弁である。
【００３５】
第１透過水ラインＬ２は、第１ＲＯ膜モジュール１１で分離された第１透過水Ｗ２を第２ＲＯ膜モジュール１２に流通させるラインである。第１透過水ラインＬ２の上流側の端部は、第１ＲＯ膜モジュール１１の二次側ポート（第１透過水Ｗ２の出口）に接続されている。第１透過水ラインＬ２の下流側の端部は、第２ＲＯ膜モジュール１２の一次側入口ポート（第１透過水Ｗ２の入口）に接続されている。
【００３６】
第２ＲＯ膜モジュール１２は、第１ＲＯ膜モジュール１１で分離されて加圧ポンプ５により圧送された第１透過水Ｗ２を、第１透過水Ｗ２よりも溶存塩類が除去された第２透過水Ｗ４と、溶存塩類が濃縮された濃縮水Ｗ５と、に分離する。第２ＲＯ膜モジュール１２は、単一又は複数のスパイラル型ＲＯ膜エレメントを圧力容器（ベッセル）に収容して構成される。第１ＲＯ膜モジュール１１においても、第２ＲＯ膜モジュール１２と同様のＲＯ膜エレメントを使用することができる。
【００３７】
第２ＲＯ濃縮水リターンラインＬ６は、第２ＲＯ膜モジュール１２で分離された濃縮水Ｗ５を原水タンク４へ返送するラインである。第２ＲＯ濃縮水リターンラインＬ６の上流側の端部は、第２ＲＯ膜モジュール１２の一次側出口ポート（濃縮水の出口）に接続されている。第２ＲＯ濃縮水リターンラインＬ６の下流側の端部は、原水タンク４に接続されている。第２ＲＯ濃縮水リターンラインＬ６には、第４ＲＯ弁１０４が設けられている。第４ＲＯ弁１０４は、第２ＲＯ濃縮水リターンラインＬ６を流通する濃縮水Ｗ３の流量を調整可能な弁である。
【００３８】
第２透過水ラインＬ３は、第２ＲＯ膜モジュール１２で分離された第２透過水Ｗ４をＥＤＩスタック２０に流通させるラインである。第２透過水ラインＬ３は、前段側透過水ラインＬ３１と、中段側透過水ラインＬ３２と、脱塩室流入ラインＬ３２１と、濃縮室流入ラインＬ３２２と、電極室流入ラインＬ３２３と、を有する。
【００３９】
前段側透過水ラインＬ３１の上流側の端部は、第２ＲＯ膜モジュール１２の二次側ポート（第２透過水Ｗ４の出口）に接続されている。前段側透過水ラインＬ３１の下流側の端部は、第１流路切換弁６２を介して、中段側透過水ラインＬ３２及び第２ＲＯ透過水リターンラインＬ７に接続されている。
【００４０】
第１流路切換弁６２は、第２ＲＯ膜モジュール１２で分離された第２透過水Ｗ４を、中段側透過水ラインＬ３２を介してＥＤＩスタック２０へ向けて流通させる流路（採水側流路）、又は、第２ＲＯ透過水リターンラインＬ７を介して第３流路切換弁６４へ向けて流通させる流路（循環側流路及び排水側流路）に切り換え可能な弁である。第１流路切換弁６２は、第２ＲＯ膜モジュール１２で分離された第２透過水Ｗ４を、第２ＲＯ透過水リターンラインＬ７を介して、第１ＲＯ膜モジュール１１の上流側へ返送するように送り出す処理を実行可能な弁である。第１流路切換弁６２は、例えば、電動式や電磁式の三方弁により構成される。第１流路切換弁６２は、制御部３０と電気的に接続されている。第１流路切換弁６２における流路の切り換えは、制御部３０からの流路切換信号により制御される。
【００４１】
第２ＲＯ透過水リターンラインＬ７は、第２ＲＯ膜モジュール１２で分離された第２透過水Ｗ４を、第１ＲＯ膜モジュール１１の上流側の原水タンク４へ返送するラインである。第２ＲＯ透過水リターンラインＬ７は、上流側第２ＲＯ透過水リターンラインＬ７１と、下流側第２ＲＯ透過水リターンラインＬ７２と、を有する。
【００４２】
上流側第２ＲＯ透過水リターンラインＬ７１の上流側の端部は、第１流路切換弁６２に接続されている。上流側第２ＲＯ透過水リターンラインＬ７１の下流側の端部は、第３流路切換弁６４に接続されている。
【００４３】
第３流路切換弁６４は、上流側第２ＲＯ透過水リターンラインＬ７１を流通される第２透過水Ｗ４を、下流側第２ＲＯ透過水リターンラインＬ７２を介して原水タンク４へ向けて流通させる流路（循環側流路）、又は、第２ＲＯ透過水排出ラインＬ４２を介して装置の外へ向けて排出させるように流通させる流路（排水側流路）に切り換え可能な弁である。第３流路切換弁６４は、手動により開閉状態を切り換え可能な弁である。
【００４４】
下流側第２ＲＯ透過水リターンラインＬ７２の上流側の端部は、第３流路切換弁６４に接続されている。下流側第２ＲＯ透過水リターンラインＬ７２の下流側の端部は、原水タンク４に接続されている。
【００４５】
第２ＲＯ透過水排出ラインＬ４２は、第２ＲＯ膜モジュール１２で分離された第２透過水Ｗ４を、第２ＲＯ透過水リターンラインＬ７に合流させて装置の外へ排出するように流通させるラインである。第２ＲＯ透過水排出ラインＬ４２の上流側の端部は、第３流路切換弁６４に接続されている。第３流路切換弁６４の下流側は、例えば、排水ピット（不図示）に接続又は開口している。
【００４６】
第２ＲＯ透過水排出ラインＬ４２は、接続部Ｊ１２において、第１ＲＯ濃縮水排出ラインＬ４１に合流されている。接続部Ｊ１２は、第１ＲＯ濃縮水排出ラインＬ４１における第３ＲＯ弁１０３よりも下流側に配置されている。第２ＲＯ透過水排出ラインＬ４２における接続部Ｊ１２よりも下流側の部分は、第１ＲＯ濃縮水排出ラインＬ４１における接続部Ｊ１２よりも下流側の部分と共通する。
【００４７】
中段側透過水ラインＬ３２の上流側の端部は、第１流路切換弁６２に接続されている。中段側透過水ラインＬ３２の下流側の端部は、分岐部Ｊ４において、脱塩室流入ラインＬ３２１、濃縮室流入ラインＬ３２２及び電極室流入ラインＬ３２３に分岐されている。
【００４８】
脱塩室流入ラインＬ３２１、濃縮室流入ラインＬ３２２及び電極室流入ラインＬ３２３の下流側の端部は、ＥＤＩスタック２０の一次側ポート（脱塩室２１、濃縮室２２及び電極室２３の各入口側）に接続されている。
【００４９】
ＥＤＩスタック２０は、第２ＲＯ膜モジュール１２で第１透過水Ｗ２から分離された第２透過水Ｗ４を脱塩処理して、通過水（脱塩室２１を通過した水）Ｗ６と濃縮水Ｗ７と電極水Ｗ８とを得る水処理機器である。ＥＤＩスタック２０は、直流電源装置３３と電気的に接続されている。ＥＤＩスタック２０には、直流電源装置３３から直流電圧が入力される。ＥＤＩスタック２０は、直流電源装置３３から入力された直流電圧により、通電され、動作される。ＥＤＩスタック２０において得られる通過水Ｗ６としては、ＥＤＩスタック２０への通電が行われている状態においてＥＤＩスタック２０の脱塩室２１（後述）を通過して得られる脱塩水、又は、ＥＤＩスタック２０への通電が停止されている状態において第２ＲＯ膜モジュール１２により分離された第２透過水Ｗ４がそのままの状態でＥＤＩスタック２０の脱塩室２１を通過する第２透過水がある。
【００５０】
直流電源装置３３は、直流電圧をＥＤＩスタック２０の一対の電極間に印加する。直流電源装置３３は、制御部３０と電気的に接続されている。直流電源装置３３は、制御部３０により入力された指令信号に応答して、直流電圧をＥＤＩスタック２０に出力する。
【００５１】
ＥＤＩスタック２０は、一対の電極間に、陽イオン交換膜及び陰イオン交換膜（不図示）が交互に配置される。ＥＤＩスタック２０の内部は、これらイオン交換膜により、脱塩室２１、濃縮室２２及び電極室２３に区画される。脱塩室２１には、イオン交換体（不図示）が充填される。脱塩室２１に充填されるイオン交換体としては、例えば、イオン交換樹脂やイオン交換繊維等が用いられる。なお、図１では、ＥＤＩスタック２０の内部に区画された複数の脱塩室２１、濃縮室２２、及び電極室２３を模式的に示す。
【００５２】
脱塩室２１の入口側には、第２透過水Ｗ４を流入させる脱塩室流入ラインＬ３２１が接続されている。脱塩室２１の出口側には、脱塩室２１においてイオンが除去されて排出された脱塩水Ｗ６を流通させる脱塩水ラインＬ８が接続されている。濃縮室２２の入口側には、第２透過水Ｗ４を流入させる濃縮室流入ラインＬ３２２が接続されている。濃縮室２２の出口側には、イオンが濃縮されて排出された濃縮水Ｗ７を流通させるＥＤＩ濃縮水リターンラインＬ１０が接続されている。電極室２３の入口側には、第２透過水Ｗ４を流入させる電極室流入ラインＬ３２３が接続されている。電極室２３の出口側には、電極水Ｗ８を流通させる電極水排出ラインＬ４４が接続されている。
【００５３】
脱塩室流入ラインＬ３２１には、第１ＥＤＩ弁２０１が設けられている。濃縮室流入ラインＬ３２２には、第２ＥＤＩ弁２０２が設けられている。電極室流入ラインＬ３２３には、第３ＥＤＩ弁２０２が設けられている。第１ＥＤＩ弁２０１は、脱塩室流入ラインＬ３２１を流通する第２透過水Ｗ４の流量（即ち、脱塩室２１を流通する脱塩水Ｗ６の流量）を調整可能な弁である。第２ＥＤＩ弁２０２は、濃縮室流入ラインＬ３２２を流通する第２透過水Ｗ４の流量（即ち、濃縮室２２を流通する濃縮水Ｗ７の流量）を調整可能な弁である。第３ＥＤＩ弁２０３は、電極室流入ラインＬ３２３を流通する第２透過水Ｗ４の流量（即ち、電極室２３を流通する電極水Ｗ８の流量）を調整可能な弁である。
【００５４】
脱塩室２１、濃縮室２２及び電極室２３それぞれには、第２透過水ラインＬ３を流通する第２透過水Ｗ４が流入される。第２透過水Ｗ４に含まれる残留イオンは、脱塩室２１内に充填されたイオン交換体（不図示）により捕捉され、脱塩水Ｗ６となる。脱塩水Ｗ６は、脱塩水ラインＬ８（後述）を介して需要箇所へ送出される。また、脱塩室２１内のイオン交換体に捕捉された残留イオンは、付与された電気エネルギーにより濃縮室２２に移動する。そして、残留イオンを含む水は、濃縮室２２からＥＤＩ濃縮水リターンラインＬ１０及びＥＤＩ濃縮水排出ラインＬ４３（後述）を介して濃縮水Ｗ７として排出される。また、電極室２３に流入された第２透過水Ｗ４は、電極室２３からＥＤＩ電極水排出ラインＬ４４を介して電極水Ｗ８として装置の外へ排出される。
【００５５】
脱塩水ラインＬ８は、ＥＤＩスタック２０で得られた脱塩水Ｗ６を純水として需要箇所に向けて送出するラインである。脱塩水ラインＬ８は、上流側脱塩水ラインＬ８１と、下流側脱塩水ラインＬ８２と、を有する。
【００５６】
上流側脱塩水ラインＬ８１の上流側の端部は、ＥＤＩスタック２０の二次側ポート（脱塩室２１の出口側）に接続されている。上流側脱塩水ラインＬ８１の下流側の端部は、第２流路切換弁６３を介して、下流側脱塩水ラインＬ８２及び脱塩水リターンラインＬ９（後述）に接続されている。
【００５７】
第２流路切換弁６３は、ＥＤＩスタック２０の脱塩室２１で得られた脱塩水Ｗ６を、下流側脱塩水ラインＬ８２を介して需要箇所に向けて送出させる流路（採水側流路）、又は、脱塩水リターンラインＬ９を介して原水タンク４に向けて流通させる流路（循環側流路）に切り換え可能な弁である。第２流路切換弁６３は、ＥＤＩスタック２０の脱塩室２１を通過した通過水Ｗ６を、脱塩水リターンラインＬ９を介して、第１ＲＯ膜モジュール１１の上流側へ返送するように送り出す処理を実行可能な弁である。第２流路切換弁６３は、例えば、電動式や電磁式の三方弁により構成される。第２流路切換弁６３は、制御部３０と電気的に接続されている。第２流路切換弁６３における流路の切り換えは、制御部３０からの流路切換信号により制御される。
【００５８】
第２流路切換弁６３は、制御部３０により採水側流路に切り換えられることにより、ＥＤＩスタック２０で得られた脱塩水Ｗ６を脱塩水ラインＬ８から需要箇所に供給するように送り出す処理を実行可能な送出手段として機能する。
【００５９】
下流側脱塩水ラインＬ８２の上流側の端部は、第２流路切換弁６３に接続されている。下流側脱塩水ラインＬ８２の下流側の端部は、需要箇所の装置等（不図示）に接続されている。
【００６０】
脱塩水リターンラインＬ９は、ＥＤＩスタック２０の脱塩室２１を通過した通過水Ｗ６（脱塩水、第２透過水）を、脱塩水ラインＬ８の途中から、第１ＲＯ膜モジュール１１の上流側の原水タンク４へ返送するラインである。本実施形態においては、脱塩水リターンラインＬ９の上流側の端部は、第２流路切換弁６３に接続されている。脱塩水リターンラインＬ９の下流側の端部は、原水タンク４に接続されている。脱塩水リターンラインＬ９は、ＥＤＩスタック２０の脱塩室２１で得られた脱塩水Ｗ６を原水タンク４へ返送する。
【００６１】
脱塩水リターンラインＬ９には、脱塩水リターン弁６５が設けられている。脱塩水リターン弁６５は、脱塩水リターンラインＬ９を流通する脱塩水Ｗ６の流量を調整可能な弁である。
【００６２】
ＥＤＩ濃縮水リターンラインＬ１０は、ＥＤＩスタック２０の濃縮室２２から排出された濃縮水Ｗ７を、脱塩水リターンラインＬ９に合流させて原水タンク４に返送するラインである。ＥＤＩ濃縮水リターンラインＬ１０の上流側の端部は、ＥＤＩスタック２０の二次側ポート（濃縮室２２の出口側）に接続されている。ＥＤＩ濃縮水リターンラインＬ１０の下流側の端部は、原水タンク４に接続されている。
【００６３】
ＥＤＩ濃縮水リターンラインＬ１０は、接続部Ｊ１３において、脱塩水リターンラインＬ９に合流されている。接続部Ｊ１３は、脱塩水リターンラインＬ９における原水タンク４と脱塩水リターン弁６５との間に配置されている。ＥＤＩ濃縮水リターンラインＬ１０における接続部Ｊ１３よりも下流側の部分は、脱塩水リターンラインＬ９における接続部Ｊ１３から原水タンク４までの部分と共通する。ＥＤＩ濃縮水リターンラインＬ１０における接続部Ｊ１３よりも上流側には、第５ＥＤＩ弁２０５が設けられている。
【００６４】
ＥＤＩ濃縮水排出ラインＬ４３は、ＥＤＩスタック２０の濃縮室２２から排出された濃縮水Ｗ７を、ＥＤＩ濃縮水リターンラインＬ１０の途中から装置の外に排出するように流通させるラインである。ＥＤＩ濃縮水排出ラインＬ４３の上流側の端部は、接続部Ｊ９に接続されている。接続部Ｊ９は、ＥＤＩ濃縮水リターンラインＬ１０における濃縮室２２と第５ＥＤＩ弁２０５と間に配置されている。ＥＤＩ濃縮水排出ラインＬ４３の下流側は、例えば、排水ピット（不図示）に接続又は開口している。ＥＤＩ濃縮水排出ラインＬ４３には、第６ＥＤＩ弁２０６が設けられている。
【００６５】
電極水排出ラインＬ４４は、ＥＤＩスタック２０の電極室２３から排出された電極水Ｗ８を装置の外に排出するように流通させるラインである。電極水排出ラインＬ４４の上流側の端部は、ＥＤＩスタック２０の電極室２３に接続されている。電極水排出ラインＬ４４は、接続部Ｊ１０において、ＥＤＩ濃縮水排出ラインＬ４３に合流されている。接続部Ｊ１０は、ＥＤＩ濃縮水排出ラインＬ４３における第６ＥＤＩ弁２０６よりも下流側に配置されている。電極水排出ラインＬ４４における接続部Ｊ１０よりも下流側の部分は、ＥＤＩ濃縮水排出ラインＬ４３における接続部Ｊ１０よりも下流側の部分と共通する。
【００６６】
水位センサ４１は、原水タンク４に貯留される原水Ｗ１の水位を測定する機器である。水位センサ４１は、原水タンク４の内部の下方側に配置されている。また、水位センサ４１は、制御部３０と電気的に接続されている。水位センサ４１で測定された原水タンク４の水位は、制御部３０へ検出信号として送信される。本実施形態においては、水位センサ４１は、連続式レベルセンサであり、例えば、静電容量式センサ、圧力式センサ、超音波式センサ等が用いられる。図１では、水位センサ４１として、原水タンク４の底部に近い外壁面に圧力式センサを設けた例を示す。なお、水位センサ４１は、連続式レベルセンサには制限されず、例えば、レベルスイッチであってもよい。レベルスイッチは、予め設定された液面位置の検出器であり、例えば、複数の液面位置を検出するように構成されている。レベルスイッチとしては、例えば、フロート式や電極式のものが用いられる。
【００６７】
タンク内電気伝導率センサ４２は、原水タンク４に貯留される原水Ｗ１の電気伝導率を測定する機器である。タンク内電気伝導率センサ４２は、原水タンク４の内部の下方側に配置されている。
【００６８】
第１電気伝導率センサ５１は、第２透過水ラインＬ３を流通する第２透過水Ｗ４の電気伝導率を測定する機器である。第１電気伝導率センサ５１は、接続部Ｊ１において、第２透過水ラインＬ３に接続されている。接続部Ｊ１は、第２透過水ラインＬ３における第２ＲＯ膜モジュール１２と第１流路切換弁６２との間に配置されている。第２電気伝導率センサ５５は、脱塩水ラインＬ８を流通する脱塩水Ｗ６の電気伝導率を測定する機器である。第２電気伝導率センサ５５は、接続部Ｊ６において、脱塩水ラインＬ８に接続されている。接続部Ｊ６は、脱塩水ラインＬ８におけるＥＤＩスタック２０と第４ＥＤＩ弁２０４との間に配置されている。
【００６９】
タンク内電気伝導率センサ４２、第１電気伝導率センサ５１及び第２電気伝導率センサ５５は、制御部３０と電気的に接続されている。タンク内電気伝導率センサ４２で測定された原水Ｗ１の電気伝導率、第１電気伝導率センサ５１で測定された第２透過水Ｗ４の電気伝導率及び第２電気伝導率センサ５５で測定された脱塩水Ｗ６の電気伝導率は、制御部３０へ検出信号として送信される。
【００７０】
タンク内温度センサ４３は、原水タンク４に貯留された原水Ｗ１の温度を測定する機器である。タンク内温度センサ４３は、原水タンク４の下方側に配置されている。タンク内温度センサ４３は、制御部３０と電気的に接続されている。タンク内温度センサ４３で測定された原水Ｗ１の温度は、制御部３０へ検出信号として送信される。
【００７１】
第１流量センサ５３は、第２透過水ラインＬ３を流通する第２透過水Ｗ４の流量を測定する機器である。第１流量センサ５３は、接続部Ｊ３において、第２透過水ラインＬ３に接続されている。接続部Ｊ３は、第２透過水ラインＬ３における第２ＲＯ膜モジュール１２と第１流路切換弁６２との間に配置されている。第２流量センサ５４は、脱塩水ラインＬ８を流通する脱塩水Ｗ６の流量を測定する機器である。第２流量センサ５４は、脱塩水ラインＬ８を流通する脱塩水Ｗ６の流量を測定することにより、脱塩室２１を流通する水の流量を測定する。第２流量センサ５４は、接続部Ｊ５において、脱塩水ラインＬ８に接続されている。接続部Ｊ５は、脱塩水ラインＬ８におけるＥＤＩスタック２０と第４ＥＤＩ弁２０４との間に配置されている。
【００７２】
第３流量センサ５６は、濃縮室流入ラインＬ３２２を流通する第２透過水Ｗ４の流量を測定する機器である。第３流量センサ５６は、濃縮室流入ラインＬ３２２を流通する第２透過水Ｗ４の流量を測定することにより、濃縮室２２を流通する水の流量を測定する。第３流量センサ５６は、接続部Ｊ７において、濃縮室流入ラインＬ３２２に接続されている。接続部Ｊ７は、濃縮室流入ラインＬ３２２におけるＥＤＩスタック２０と第２ＥＤＩ弁２０２との間に配置されている。第４流量センサ５７は、電極室流入ラインＬ３２３を流通する第２透過水Ｗ４の流量を測定する機器である。第４流量センサ５７は、電極室流入ラインＬ３２３を流通する第２透過水Ｗ４の流量を測定することにより、電極室２３を流通する水の流量を測定する。第４流量センサ５７は、接続部Ｊ８において、電極室流入ラインＬ３２３に接続されている。接続部Ｊ８は、電極室流入ラインＬ３２３におけるＥＤＩスタック２０の電極室２３と第３ＥＤＩ弁２０３との間に配置されている。
【００７３】
第１流量センサ５３、第２流量センサ５４、第３流量センサ５６及び第４流量センサ５７は、制御部３０と電気的に接続されている。第１流量センサ５３で測定された第２透過水Ｗ４の流量、第２流量センサ５４で測定された脱塩水Ｗ６の流量、第３流量センサ５６で測定された第２透過水Ｗ４の流量、及び、第４流量センサ５７で測定された第２透過水Ｗ４の流量は、制御部３０へ検出信号として送信される。
【００７４】
圧力センサ５２は、第２透過水ラインＬ３を流通する第２透過水Ｗ４の圧力を測定する機器である。圧力センサ５２は、接続部Ｊ２において、第２透過水ラインＬ３に接続されている。圧力センサ５２は、制御部３０と電気的に接続されている。接続部Ｊ２は、第２ＲＯ膜モジュール１２と第１流路切換弁６２との間に配置されている。圧力センサ５２で測定された第２透過水Ｗ４の圧力は、制御部３０へ検出信号として送信される。
【００７５】
報知部３１は、所定の警報を報知する。報知部３１は、制御部３０と電気的に接続されている。報知は、例えば、表示、音声、発光などのうちの一つ以上である。つまり、報知部３１は、表示器（液晶ディスプレイ等）、ブザーやスピーカー、ランプなどのうちの一つ以上から構成される。
【００７６】
入力操作部３２は、装置の運転モードに係る選択（例えば、運転／停止の選択、警報の解除など）や、装置の運転条件に係る各種設定について、ユーザーや管理者の入力操作を受け付ける入力インターフェースである。この入力操作部３２は、ディスプレイとボタンスイッチを組み合わせた操作パネルや、ディスプレイ上で直接操作するタッチパネル等により構成される。入力操作部３２は、制御部３０と電気的に接続されている。入力操作部３２から入力された情報は、制御部３０に送信される。
【００７７】
次に、制御部３０について説明する。制御部３０は、ＣＰＵ及びメモリを含むマイクロプロセッサ（不図示）により構成される。制御部３０において、マイクロプロセッサのメモリには、純水製造装置１を制御するための各種プログラムが記憶される。また、マイクロプロセッサのメモリには、例えば、第２透過水Ｗ４及び脱塩水Ｗ６の電気伝導率の閾値や、ＥＤＩスタック２０から排出される脱塩水Ｗ６、濃縮水Ｗ７及び電極水Ｗ８の流量の閾値に関するデータ等が記憶される。
【００７８】
制御部３０において、マイクロプロセッサのＣＰＵは、メモリから読み出した所定のプログラムに従って後述する各種の制御を実行する。また、制御部３０において、マイクロプロセッサには、時間の計時等を管理するインテグレーテッドタイマユニットが組み込まれている。
【００７９】
制御部３０は、第１工程及び第３工程を実行するように制御する。制御部３０は、需要箇所へ脱塩水Ｗ６を供給しない待機状態となってから所定の待機継続時間（所定時間）が経過した場合には、第１工程を実行するように制御する。
【００８０】
制御部３０により実行される第１工程とは、第１ＲＯ膜モジュール１１及び第２ＲＯ膜モジュール１２で分離された第２透過水Ｗ４を第２ＲＯ透過水リターンラインＬ７（第１循環水ライン）を介して第１ＲＯ膜モジュール１１の上流側へ返送するように第１流路切換弁６２（第１循環手段）を制御し、且つ、第１ＲＯ膜モジュール１１の一次側に滞留する原水Ｗ１を第１ＲＯ濃縮水排出ラインＬ４１を介して装置の外（系外）へ排出するように加圧ポンプ５を制御する工程である。
【００８１】
具体的には、第１工程においては、第３流路切換弁６４が循環側流路に設定され、且つ第３ＲＯ弁が開放に設定された状態下で、第１流路切換弁６２を循環側流路に切り換えて、加圧ポンプ５を駆動することにより、第１ＲＯ膜モジュール１１及び第２ＲＯ膜モジュール１２で分離された第２透過水Ｗ４を原水タンク４へ返送する。更に、第１工程においては、加圧ポンプ５を駆動することにより、第１ＲＯ膜モジュール１１の一次側に滞留する原水Ｗ１を上流側第１ＲＯ濃縮水リターンラインＬ５１及び第１ＲＯ濃縮水排出ラインＬ４１を介して装置の外（系外）へ排出する。
【００８２】
制御部３０は、第１工程の実行を開始してから第１時間が経過し、且つ純水の送水要求があった場合に、第２透過水ラインＬ３を流通する第２透過水Ｗ４の電気伝導率の測定を開始する。制御部３０は、第２透過水ラインＬ３を流通する第２透過水Ｗ４の電気伝導率が所定の第１伝導率閾値（伝導率閾値）を上回る場合には報知部３１による報知を実行するように制御する。ここで、所定の第１伝導率閾値としては、例えば、劣化や閉塞のないＲＯ膜モジュールを用いて標準的な水質の原水を所定の運転条件（運転圧力，回収率，水温等）で逆浸透膜処理したときに得られる透過水の電気伝導率値が設定される。制御部３０は、続けて、ＥＤＩスタック２０への通電を開始すると共に、第３工程に移行するように制御する。
【００８３】
制御部３０により実行される第３工程とは、ＥＤＩスタック２０への通電が行われている状態において、ＥＤＩスタック２０を通過して得られた脱塩水Ｗ６を脱塩水リターンラインＬ９（第２循環水ライン）を介して第１ＲＯ膜モジュール１１の上流側へ返送する工程である。具体的には、第３工程においては、ＥＤＩスタック２０への通電が行われている状態において、第１流路切換弁６２を採水側流路に切り換えると共に、第２流路切換弁６３を循環側流路に切り換えて、加圧ポンプ５を駆動することにより、ＥＤＩスタック２０を通過して得られた脱塩水Ｗ６を脱塩水リターンラインＬ９を介して原水タンク４へ返送する。
【００８４】
また、制御部３０は、第３工程の開始時点において、ＥＤＩスタック２０の脱塩室２１、濃縮室２２及び電極室２３を流通する水の流量がそれぞれ所定の第１設定値を上回る時間が第２時間継続した場合にはＥＤＩスタック２０の動作（即ち、通電）を開始するように制御する。また、制御部３０は、ＥＤＩスタック２０の脱塩室２１、濃縮室２２及び電極室２３を流通する水の流量のうちのいずれかが所定の第２設定値を下回る時間が第２時間よりも長い第３時間継続した場合には報知部３１による報知を実行するように制御する。なお、流量の所定の第１設定値は、通常、各室（脱塩室２１、濃縮室２２及び電極室２３）毎に異なる流量値に設定される。流量の所定の第２設定値についても、同様である。
【００８５】
ＥＤＩスタック２０の脱塩室２１、濃縮室２２及び電極室２３を流通する水の流量の所定の設定値を、ＥＤＩスタック２０の動作を開始するための条件とした理由は、脱塩水Ｗ６、濃縮水Ｗ７及び電極水Ｗ８における所定値以上の流通流量がない場合には、イオン交換膜や電極の表面において、スケール発生等のリスクが高まるためである。
【００８６】
流量の所定の第１設定値としては、例えば、脱塩室２１、濃縮室２２及び電極室２３が正常に機能して、スケール発生等のリスクが生じない下限の流量値が設定される。流量の所定の第２設定値としては、例えば、脱塩室２１、濃縮室２２及び電極室２３が正常に機能して、スケール発生等のリスクが生じる上限の流量値が設定される。なお、脱塩室２１に対して設定される流量の所定の第１設定値及び所定の第２設定値は、同じ値であってもよい。濃縮室２２及び電極室２３に対してそれぞれ設定される流量の所定の第１設定値及び所定の第２設定値についても、同様である。
【００８７】
また、制御部３０は、ＥＤＩスタック２０の動作を開始してから第４時間経過した時点において、脱塩水ラインＬ８を流通する脱塩水Ｗ６の電気伝導率が所定の第２伝導率閾値を下回る場合には、第２流路切換弁６３による需要箇所への脱塩水Ｗ６の供給を開始するように第２流路切換弁６３を制御する。制御部３０は、脱塩水ラインＬ８を流通する脱塩水Ｗ６の電気伝導率が所定の第３伝導率閾値を上回る場合には、報知部３１による報知を実行するように制御する。
【００８８】
所定の第２伝導率閾値としては、例えば、需要箇所で継続して要求される純水の電気伝導率値が設定される。所定の第３伝導率閾値としては、例えば、需要箇所で一時的に許容される純水の上限の電気伝導率値が設定される。
【００８９】
なお、所定の第２伝導率閾値及び所定の第３伝導率閾値は、異なる値であってもよいし、同じ値であってもよい。本実施形態においては、所定の第２伝導率閾値及び所定の第３伝導率閾値が同じ値である場合について説明し、以降の説明においては、所定の第２伝導率閾値及び所定の第３伝導率閾値を、所定の第２伝導率閾値として説明する。
【００９０】
ここで、制御部３０は、報知部３１による報知に関して、第３工程からなる循環工程の強制的な実行、需要箇所への脱塩水Ｗ６の供給の強制的な開始又は需要箇所への脱塩水Ｗ６の供給の強制的な停止についてユーザーに選択させるように、報知部３１による報知を実行する。これにより、ユーザーは、採水（需要箇所への脱塩水の供給の強制的な開始）、循環（第３工程からなる循環工程の強制的な実行）、待機（需要箇所への脱塩水の供給の強制的な停止）について、入力操作部３２を操作することにより、選択して実行させることができる。
【００９１】
制御部３０は、装置の通常運転時において、水位センサ４１により測定された原水Ｗ１の水位が第１水位を下回る場合に、原水補給弁６１が開状態になるように制御する。また、制御部３０は、第１ＲＯ膜モジュール１１の一次側に滞留する原水Ｗ１を第１ＲＯ濃縮水排出ラインＬ４１を介して装置の外（系外）へ排出するように加圧ポンプ５を制御する動作の実行中において、水位センサ４１により測定された原水Ｗ１の水位が第１水位よりも高い第２水位を下回る場合に原水補給弁６１が開状態となるように制御する。これにより、第１ＲＯ膜モジュール１１の一次側に滞留する原水Ｗ１を第１ＲＯ濃縮水排出ラインＬ４１を介して装置の外（系外）へ排出するように加圧ポンプ５を制御する動作の実行中において、原水タンク４が空にならないように、原水Ｗ１の水位は第２水位以上に維持される。
【００９２】
制御部３０は、タンク内温度センサ４３により測定された原水Ｗ１の温度が高いほど、装置が待機状態となってから、第１ＲＯ膜モジュール１１の一次側に滞留する原水Ｗ１を排出する動作を開始するまでの待機継続時間を短くするように設定する。或いは、制御部３０は、タンク内温度センサ４３により測定された原水Ｗ１の温度が高いほど、第１ＲＯ濃縮水排出ラインＬ４１を介して第１ＲＯ膜モジュール１１の一次側に滞留する原水Ｗ１を排出する排出時間を長くするように制御する。
【００９３】
また、制御部３０は、待機状態中に需要箇所から純水の送水要求がある場合には、第１工程を実行する。制御部３０は、採水中に需要箇所から純水の送水要求がある場合には、純水製造装置１が採水を継続するように制御し、採水中に需要箇所から純水の送水要求がない場合には、純水製造装置１が待機状態に移行するように制御する。更に、制御部３０は、採水中に純水製造装置１の運転スイッチがＯＦＦ（停止）である場合には、純水製造装置１の運転を停止させる。
【００９４】
また、制御部３０は、報知部３１又は入力操作部３２に表示された採水、循環又は待機を選択する選択画面において、採水が選択された場合には採水動作に移行するように制御し、循環が選択された場合には循環動作に移行するように制御し、又は、待機が選択された場合には待機状態に移行するように制御する。
【００９５】
次に、本実施形態に係る純水製造装置１の動作について説明する。図２及び図３は、純水製造装置１の動作の処理手順を示すフローチャートである。純水製造装置１は、運転スイッチがＯＮ（運転）にされることで、動作が開始される。図２及び図３に示すフローチャートの処理は、純水製造装置１の運転中において、繰り返し実行される。
【００９６】
図２に示すステップＳＴ１０５において、純水製造装置１に電源が投入されて運転スイッチがＯＮにされた後に、制御部３０は、装置の通常運転時において、原水Ｗ１の給水を開始する原水タンク４の水位を第１水位に設定する。これにより、制御部３０は、装置の通常運転時において、水位センサ４１により測定された原水Ｗ１の水位が第１水位を下回る場合に、原水補給弁６１が開状態になるように制御する。従って、原水タンク４に貯留される原水Ｗ１の水位が第１水位以上に維持される。
【００９７】
ステップＳＴ１１０において、純水製造装置１は、まず待機状態となる。ステップＳＴ１１１において、制御部３０は、タンク内温度センサ４３により測定された原水Ｗ１の温度に基づいて、待機継続時間を設定する。この待機継続時間は、装置が待機状態となってから、第１工程、即ち第１ＲＯ膜モジュール１１の一次側に滞留する原水Ｗ１を排出する動作を開始するまでの閾値の時間である。詳細には、制御部３０は、タンク内温度センサ４３により測定された原水Ｗ１の温度が高いほど、滞留水の排出を開始するまでの待機継続時間を短くするように設定する。原水Ｗ１の温度が高いほど細菌が繁殖する可能性が高まるためである。
【００９８】
例えば、制御部３０は、原水Ｗ１の温度が１５℃〜２５℃の範囲にある場合には、待機継続時間を２４時間と設定する。制御部３０は、この２４時間を基準として、原水Ｗ１の温度が２５℃を上回る場合には待機継続時間を２４時間よりも短い１６時間に設定し、原水Ｗ１の温度が１５℃を下回る場合には待機継続時間を２４時間よりも長い３２時間に設定する。
【００９９】
ステップＳＴ１１２において、制御部３０は、待機状態となってから待機継続時間が経過したか否かを判定する。待機状態となってから待機継続時間が経過したと判定された場合（ＹＥＳ）には、処理は、ステップＳＴ１１３に進む。待機状態となってから待機継続時間が経過していないと判定された場合（ＮＯ）には、処理は、ステップＳＴ１２０に進む。
【０１００】
ステップＳＴ１２０において、制御部３０は、待機継続時間の経過前に需要箇所から純水の送水要求があるか否かを判定する。待機継続時間の経過前に需要箇所から純水の送水要求があると判定された場合（ＹＥＳ）には、処理は、ステップＳＴ１３０へ移行する。待機継続時間の経過前に需要箇所から純水の送水要求がないと判定された場合（ＮＯ）には、処理は、ステップＳＴ１２０を繰り返す。
【０１０１】
待機状態中に需要箇所からの送水要求を受けると、ステップＳＴ１３０において、制御部３０は、装置を起動させて第１工程の実行を開始する。具体的には、第３流路切換弁６４が循環側流路に設定された状態下で、制御部３０は、第２透過水Ｗ４を原水タンク４に返送するように第１流路切換弁６２を循環側流路に切り換える。この状態で、制御部３０は、加圧ポンプ５を駆動する。これにより、第２ＲＯ膜モジュール１２で分離された第２透過水Ｗ４を、第２ＲＯ透過水リターンラインＬ７を介して、原水タンク４に返送する。このステップＳＴ１３０で開始される第１工程は、純水の採水を開始する前の準備工程であり、待機状態中に悪化した第２透過水Ｗ４の水質を所定の水質まで回復させることを目的としている。
【０１０２】
ステップＳＴ１４０において、制御部３０は、第１工程の実行を開始してから第１時間（例えば、６０秒）経過したか否かを判定する。第１工程の実行を開始してから第１時間経過したと判定された場合（ＹＥＳ）には、処理は、ステップＳＴ１５０に進む。第１工程の実行を開始してから第１時間経過していないと判定された場合（ＮＯ）には、処理は、ステップＳＴ１４０に戻り、第１工程を継続する。
【０１０３】
ステップＳＴ１５０において、制御部３０は、第１工程の実行を開始してから第１時間経過した時点において、第２透過水Ｗ４の電気伝導率値（ＥＣ値）が所定の第１伝導率閾値（例えば、１５μＳ／ｃｍ）を下回るかを判定する。第２透過水Ｗ４の電気伝導率値が第１伝導率閾値を上回ると判定された場合（ＮＯ）には、処理は、ステップＳＴ１５１に進み、警報を報知した後に、ステップＳＴ１６０に進む。第２透過水Ｗ４の電気伝導率値が第１伝導率閾値を下回ると判定された場合（ＹＥＳ）には、処理は、そのままステップＳＴ１６０に進む。
【０１０４】
ステップＳＴ１６０において、制御部３０は、第３工程の実行を開始する。具体的には、制御部３０は、第１流路切換弁６２を採水側流路に切り換えると共に、脱塩水Ｗ６を原水タンク４に返送するように第２流路切換弁６３を循環側流路に切り換える。この状態で、制御部３０は、加圧ポンプ５を駆動する。これにより、ＥＤＩスタック２０で得られた脱塩水Ｗ６を、脱塩水リターンラインＬ９を介して、原水タンク４に返送する。
【０１０５】
以上のように、装置の起動時において、第１工程及び第３工程を実行することにより、水質の悪い第２透過水Ｗ４を第１ＲＯ膜モジュール１１の上流側に返送することができると共に、水質の悪い脱塩水Ｗ６を第１ＲＯ膜モジュール１１の上流側に返送することができる。ステップＳＴ１６０の後に、処理は、ステップＳＴ２１０に進む。
【０１０６】
図３に示すステップＳＴ２１０において、制御部３０は、第３工程の開始時点において、ＥＤＩスタック２０の脱塩室２１、濃縮室２２及び電極室２３を流通する水それぞれの流量がそれぞれ所定の第１設定値を上回るか否かを判定する。ＥＤＩスタック２０の脱塩室２１、濃縮室２２及び電極室２３を流通する水それぞれの流量がそれぞれ所定の第１設定値を上回ると判定された場合（ＹＥＳ）には、処理は、ステップＳＴ２２０へ移行する。ＥＤＩスタック２０の脱塩室２１、濃縮室２２及び電極室２３を流通する水それぞれの流量がそれぞれ所定の第１設定値を上回らないと判定された場合（ＮＯ）には、処理は、ステップＳＴ２１１へ移行する。
【０１０７】
ステップＳＴ２２０において、制御部３０は、ＥＤＩスタック２０の脱塩室２１、濃縮室２２及び電極室２３を流通する水それぞれの流量がそれぞれ所定の第１設定値を上回る時間が第２時間（例えば、５秒）継続したか否かを判定する。ＥＤＩスタック２０の脱塩室２１、濃縮室２２及び電極室２３を流通する水の流量がそれぞれ所定の第１設定値を上回る時間が第２時間継続した場合（ＹＥＳ）には、処理は、ステップＳＴ２３０に進む。ＥＤＩスタック２０の脱塩室２１、濃縮室２２及び電極室２３を流通する水の流量がそれぞれ所定の第１設定値を上回る時間が第２時間継続しない場合（ＮＯ）には、処理は、ステップＳＴ２１０に戻る。
【０１０８】
ステップＳＴ２３０において、制御部３０は、直流電源装置３３に対し、ＥＤＩスタック２０へ直流電圧を出力させる指令信号を送信する。これにより、ＥＤＩスタック２０へ通電がなされ、ＥＤＩスタック２０の動作が開始される。
【０１０９】
ステップＳＴ２１０において、ＥＤＩスタック２０の脱塩室２１、濃縮室２２及び電極室２３を流通する水それぞれの流量がそれぞれ所定の第１設定値を上回らないと判定された場合（ＮＯ）には、ステップＳＴ２１１において、制御部３０は、ＥＤＩスタック２０の脱塩室２１、濃縮室２２及び電極室２３を流通する水それぞれの流量のうちのいずれかが所定の第２設定値を下回るか否かを判定する。ＥＤＩスタック２０の脱塩室２１、濃縮室２２及び電極室２３を流通する水それぞれの流量のうちのいずれかが所定の第２設定値を下回ると判定された場合（ＹＥＳ）には、処理は、ステップＳＴ２１２へ移行する。ＥＤＩスタック２０の脱塩室２１、濃縮室２２及び電極室２３を流通する水それぞれの流量のうちいずれかが所定の第２設定値を下回らないと判定された場合（ＮＯ）には、処理は、ステップＳＴ２１０へ戻る。
【０１１０】
ステップＳＴ２１２において、制御部３０は、ＥＤＩスタック２０の脱塩室２１、濃縮室２２及び電極室２３を流通する水それぞれの流量がそれぞれ所定の第２設定値を下回る時間が第３時間（例えば、１０秒）継続したか否かを判定する。ＥＤＩスタック２０の脱塩室２１、濃縮室２２及び電極室２３を流通する水それぞれの流量がそれぞれ所定の第２設定値を下回る時間が第３時間継続した場合（ＹＥＳ）には、処理は、ステップＳＴ２１３に進む。ＥＤＩスタック２０の脱塩室２１、濃縮室２２及び電極室２３を流通する水それぞれの流量がそれぞれ所定の第２設定値を下回る時間が第３時間継続しない場合（ＮＯ）には、処理は、ステップＳＴ２１１へ戻る。
【０１１１】
ステップＳＴ２１３において、制御部３０は、流量異常の警報を報知部３１により報知する。その後、処理は、ステップＳＴ２１０に戻る。
【０１１２】
ステップＳＴ２４０において、制御部３０は、ＥＤＩスタック２０の動作を開始してから第４時間（例えば、６０秒）経過したか否かを判定する。ＥＤＩスタック２０の動作を開始してから第４時間経過したと判定された場合（ＹＥＳ）には、処理は、ステップＳＴ２５０へ移行する。ＥＤＩスタック２０の動作を開始してから第４時間経過していない判定された場合（ＮＯ）には、処理は、ステップＳＴ２４０を繰り返す。
【０１１３】
ステップＳＴ２５０において、制御部３０は、ＥＤＩスタック２０の動作を開始してから第４時間経過した時点において、脱塩水ラインＬ８を流通する脱塩水Ｗ６の電気伝導率（ＥＣ値）が所定の第２伝導率閾値（例えば、１μＳ／ｃｍ）を下回るか否かを判定する。脱塩水ラインＬ８を流通する脱塩水の電気伝導率が所定の第２伝導率閾値を下回る場合（ＹＥＳ）には、処理は、ステップＳＴ２６０に進む。脱塩水ラインＬ８を流通する脱塩水Ｗ６の電気伝導率が所定の第２伝導率閾値を上回る場合（ＮＯ）には、処理は、ステップＳＴ２５１に進む。
【０１１４】
ステップＳＴ２６０において、制御部３０は、純水の採水を開始して、需要箇所等へ脱塩水Ｗ６を供給する。具体的には、制御部３０は、脱塩水Ｗ６を需要箇所へ供給するように第２流路切換弁６３を採水側流路に切り換える。これにより、ＥＤＩスタック２０で得られた脱塩水Ｗ６を、脱塩水ラインＬ８を介して、需要箇所へ供給するように送り出す。これにより、需要箇所へ向けて純水の採水が実行される。
【０１１５】
ステップＳＴ２７０において、制御部３０は、採水中に需要箇所から純水の送水要求がないか否かを判定する。採水中に需要箇所から純水の送水要求がないと判定された場合（ＹＥＳ）には、処理は、ステップＳＴ１１０に移行して、純水製造装置１は、待機状態（即ち、採水を終了）となる。採水中に需要箇所から純水の送水要求があると判定された場合（ＮＯ）には、処理は、ステップＳＴ２８０へ移行する。
【０１１６】
ステップＳＴ２８０において、制御部３０は、純水製造装置１の運転スイッチがＯＦＦ（停止）であるか否かを判定する。純水製造装置１の運転スイッチがＯＦＦ（停止）である場合（ＹＥＳ）には、純水製造装置１の運転が停止されて、処理は、終了する。純水製造装置１の運転スイッチがＯＮ（運転）である場合（ＮＯ）には、処理は、ステップＳＴ２７０へ戻り、純水の採水を継続する。
【０１１７】
ステップＳＴ２５０における脱塩水ラインＬ８を流通する脱塩水Ｗ６の電気伝導率が所定の第２伝導率閾値を上回る場合（ＮＯ）には、ステップＳＴ２５１において、制御部３０は、水質異常の警報を報知部３１により報知する。
【０１１８】
ステップＳＴ２５２において、制御部３０は、採水（需要箇所への脱塩水の供給の強制的な開始）、循環（第３工程からなる循環工程の強制的な実行）、待機（需要箇所への脱塩水の供給の強制的な停止）についてユーザーに選択させるための選択画面を報知部３１又は入力操作部３２に表示し、入力操作部３２により入力可能な状態になるように制御する。これにより、脱塩水ラインＬ８を流通する脱塩水Ｗ６の電気伝導率が所定の第２伝導率閾値を上回る場合において、ユーザーは、採水、循環、待機のいずれかを選択して、純水製造装置１を運転させることができる。
【０１１９】
ステップＳＴ２５３において、制御部３０は、報知部３１又は入力操作部３２に表示された選択画面において、採水が選択されたか否かを判定する。採水が選択された場合（ＹＥＳ）には、処理は、ステップＳＴ２６０へ移行して、採水を開始する。採水が選択されない場合（ＮＯ）には、処理は、ステップＳＴ２５４へ移行する。
【０１２０】
ステップＳＴ２５４において、制御部３０は、報知部３１又は入力操作部３２に表示された選択画面において、循環が選択されたか否かを判定する。循環が選択された場合（ＹＥＳ）には、処理は、ステップＳＴ２３０へ移行して、ＥＤＩスタック２０に対して通電を行う。循環が選択されない場合（ＮＯ）には、処理は、ステップＳＴ１１０へ移行して、純水製造装置１は、待機状態となる。
【０１２１】
ここで、ステップＳＴ１１２における待機状態となってから待機継続時間が経過したと判定された場合（ＹＥＳ）には、ステップＳＴ１１３〜ステップＳＴ１１７において第１工程（間欠運転）が実行される。ここで実行される第１工程は、装置の待機状態中に、第１ＲＯ膜モジュール１１内の滞留水を定期的に排出することで、ＲＯ膜の表面で細菌が繁殖するのを抑制することを目的としている。
【０１２２】
まず、ステップＳＴ１１３において、制御部３０は、第１工程の実行を開始する前に（間欠運転の実行が開始される前に）、原水Ｗ１の給水を開始する原水タンク４の水位を第２水位に設定する。第２水位は、第１水位よりも高い水位である。
【０１２３】
ステップＳＴ１１４において、第１工程の実行を開始する。具体的には、第３流路切換弁６４が循環側流路に設定され、且つ第３ＲＯ弁１０３が開放に設定された状態下で、制御部３０は、第２透過水Ｗ４を原水タンク４に返送するように第１流路切換弁６２を循環側流路に切り換える。この状態で、制御部３０は、加圧ポンプ５を駆動する。これにより、第１ＲＯ膜モジュール１１の一次側に滞留する原水Ｗ１を、上流側第１ＲＯ濃縮水リターンラインＬ５１及び第１ＲＯ濃縮水排出ラインＬ４１を介して装置の外（系外）へ排出する。また、同時に、第２ＲＯ膜モジュール１２で分離された第２透過水Ｗ４を、第２ＲＯ透過水リターンラインＬ７を介して、原水タンク４に返送する。このように、第１工程を実行することにより、第２ＲＯ膜モジュール１２の下流側の第２透過水Ｗ４を第１ＲＯ膜モジュール１１の上流側に返送しながら、第１ＲＯ膜モジュール１１の一次側に滞留する原水Ｗ１を装置の外に排出することができる。
【０１２４】
ここで、制御部３０は、滞留水を排出するための第１工程の実行中において、水位センサ４１により測定された原水Ｗ１の水位が第１水位よりも高い第２水位を下回る場合に原水補給弁６１が開状態となるように制御する。従って、第１工程の実行中において、原水タンク４が空にならないように、原水Ｗ１の水位が第２水位以上に維持される。
【０１２５】
ステップＳＴ１１５において、制御部３０は、第１工程の実行を開始してから第１時間（例えば、６０秒）経過したか否かを判定する。第１工程の実行を開始してから第１時間経過したと判定された場合（ＹＥＳ）には、処理は、ステップＳＴ１１６に進む。第１工程の実行を開始してから第１時間経過していないと判定された場合（ＮＯ）には、処理は、ステップＳＴ１１５に戻り、第１工程を継続する。
【０１２６】
ステップＳＴ１１６において、制御部３０は、第１工程の実行を開始してから第１時間経過した時点において、需要箇所から純水の送水要求があるか否かを判定する。需要箇所から純水の送水要求があると判定された場合（ＹＥＳ）には、処理は、ステップＳＴ１１７へ移行する。需要箇所から純水の送水要求がないと判定された場合（ＮＯ）には、処理は、ステップＳＴ１１６へ移行する。
【０１２７】
ステップＳＴ１１７において、待機状態中に需要箇所からの送水要求を受けると、制御部３０は、装置の通常運転に備えて、給水を開始する原水Ｗ１の水位を第１水位に設定する。その後、処理は、ステップＳＴ１５０に移行し、第２透過水Ｗ４の電気伝導率値（ＥＣ値）の測定を開始する。その後、処理は、第３工程の実行を経て、純水の採水を開始する。
【０１２８】
上述した本実施形態に係る純水製造装置１によれば、例えば、以下のような効果が奏される。
【０１２９】
本実施形態に係る純水製造装置１は、脱塩素装置２と、第１ＲＯ膜モジュール１１及び第２ＲＯ膜モジュール１２と、ＥＤＩスタック２０と、原水ラインＬ１と、第１透過水ラインＬ２及び第２透過水ラインＬ３と、脱塩水ラインＬ８と、第１ＲＯ膜モジュール１１の一次側に滞留する原水Ｗ１を装置の外へ向けて流通させる第１ＲＯ濃縮水排出ラインＬ４１と、第１ＲＯ膜モジュール１１の一次側に滞留する供給水Ｗ１を第１ＲＯ濃縮水排出ラインＬ４１から装置の外に排出するように送り出す処理を実行可能な加圧ポンプ５と、需要箇所へ脱塩水Ｗ６を供給しない待機状態となってから待機継続時間が経過した場合には、第１ＲＯ膜モジュール１１の一次側に滞留する原水Ｗ１を第１ＲＯ濃縮水排出ラインＬ４１を介して装置の外へ排出するように加圧ポンプ５を制御する制御部３０と、を備える。
【０１３０】
そのため、装置の待機状態が長時間に亘ったとしても、第１ＲＯ膜モジュール１１の一次側に滞留する原水Ｗ１を、定期的に装置の外へ向けて排出することができる。これにより、第１ＲＯ膜モジュール１１の内部における細菌の繁殖を抑制することができる。
【０１３１】
また、本実施形態においては、制御部３０は、需要箇所へ脱塩水Ｗ６を供給しない待機状態となってから待機継続時間が経過した場合には、第２ＲＯ膜モジュール１２で分離された第２透過水Ｗ４を第２ＲＯ透過水リターンラインＬ７を介して第１ＲＯ膜モジュール１１の上流側へ返送するように第１流路切換弁６２を制御し且つ第１ＲＯ膜モジュール１１の一次側に滞留する原水Ｗ１を第１ＲＯ濃縮水排出ラインＬ４１を介して装置の外へ排出するように加圧ポンプ５を制御する第１工程を実行する。
【０１３２】
そのため、第１工程を実行することにより、第２ＲＯ膜モジュール１２の下流側の第２透過水Ｗ４を第１ＲＯ膜モジュール１１の上流側に返送しながら、第１ＲＯ膜モジュール１１の一次側に滞留する原水Ｗ１を装置の外に排出することができる。これにより、第１ＲＯ膜モジュール１１の一次側に滞留する原水Ｗ１を第２透過水Ｗ４と入れ替えて、第１ＲＯ膜モジュール１１の内部における細菌の繁殖を一層抑制することができる。
【０１３３】
また、本実施形態においては、原水Ｗ１を貯留する原水タンク４と、原水タンク４に貯留される原水Ｗ１の水位を測定する水位センサ４１と、原水ラインＬ１を開閉する原水補給弁６１と、を備え、制御部３０は、装置の通常運転時において水位センサ４１により測定された原水タンク４に貯留される原水Ｗ１の水位が第１水位を下回る場合に原水補給弁６１が開状態になるように制御し、第１ＲＯ膜モジュール１１の一次側に滞留する原水Ｗ１を第１ＲＯ濃縮水排出ラインＬ４１を介して装置の外へ排出するように加圧ポンプ５を制御する動作の実行中において水位センサ４１により測定された原水タンク４に貯留される原水Ｗ１の水位が第１水位よりも高い第２水位を下回る場合に原水補給弁６１が開状態となるように制御する。
【０１３４】
そのため、原水タンク４に貯留される原水Ｗ１の水位を第２水位に維持することができる。これにより、第１工程を実行中において第１ＲＯ膜モジュール１１の一次側に滞留する原水Ｗ１を排出していても、原水タンク４が空の状態になることが防止される。従って、加圧ポンプ５は、原水タンク４に貯留される原水Ｗ１を用いて、第１ＲＯ膜モジュール１１の一次側に滞留する原水Ｗ１を効率よく排出することができる。
【０１３５】
また、本実施形態においては、原水Ｗ１の温度を測定するタンク内温度センサ４３を更に備え、制御部３０は、タンク内温度センサ４３により測定された原水Ｗ１の温度が高いほど、待機状態となってからの待機継続時間を短くするように設定するように制御する。そのため、夏場など系内の温度が高い場合でも、細菌の繁殖が進行する前に、第１ＲＯモジュールの一次側に滞留する原水Ｗ１を装置の外に排出することができる。
【０１３６】
また、本実施形態においては、制御部３０は、第１工程の実行を開始してから第１時間経過し、且つ純水の送水要求があった場合に第２透過水ラインＬ３を流通する第２透過水Ｗ４の電気伝導率を測定し、第２透過水ラインＬ３を流通する第２透過水Ｗ４の電気伝導率が所定の伝導率閾値を上回る場合には報知部３１による報知を実行するように制御する。続けて、制御部３０は、ＥＤＩスタック２０への通電を開始すると共に、ＥＤＩスタック２０を通過して得られた脱塩水Ｗ６を脱塩水リターンラインＬ９を介して第１ＲＯ膜モジュール１１の上流側へ返送する第３工程に移行させる。
【０１３７】
そのため、純水の送水要求があった場合にのみ、第２透過水Ｗ４の電気伝導率を測定するので、滞留水の排出動作中には、水質異常の警報の報知が無用に行われることがない。また、純水の送水要求があり、第２透過水ラインＬ３を流通する第２透過水Ｗ４の水質が悪い場合には、報知部３１により警告が報知される。従って、水質の悪い第２透過水Ｗ４が生産されていることをユーザーに認識させ、ＲＯ膜モジュールの洗浄や交換等のメンテナンスを促すことができる。また、第３工程を実行することにより、ＥＤＩスタック２０からの脱塩水Ｗ６を第１ＲＯ膜モジュール１１の上流側に返送しつつ、脱塩水Ｗ６の水質を回復させることができる。
【０１３８】
以上、本発明の好ましい実施形態について説明した。しかし、本発明は、上述した実施形態に限定されることなく、種々の形態で実施することができる。例えば、前記実施形態においては、第１電気伝導率センサ５１により測定される電気伝導率に基づいて、報知部３１による報知を実行するように構成したが、これに制限されない。例えば、電気的特性検出手段に測定される比抵抗に基づいて、報知部３１による報知を実行するように構成してもよい。
【０１３９】
例えば、第２透過水ラインＬ３を流通する第２透過水Ｗ４の比抵抗を測定する電気的特性検出手段（比抵抗センサ）を備える場合には、制御部３０は、純水の送水要求があった場合に第２透過水ラインＬ３を流通する第２透過水Ｗ４の比抵抗を測定し、この第２透過水Ｗ４の比抵抗が所定の比抵抗閾値を上回る場合には報知部３１による報知を実行するように制御することができる。制御部３０は、続けて、ＥＤＩスタック２０への通電を開始すると共にＥＤＩスタック２０を通過して得られた脱塩水Ｗ６を脱塩水リターンラインＬ９を介して第１ＲＯ膜モジュール１１の上流側へ返送する第３工程に移行させることができる。
【０１４０】
また、前記実施形態においては、待機状態となってから待機継続時間が経過した場合に、第１工程を実行するように制御したが、これに制限されない。待機状態となってから待機継続時間が経過した場合に、第２工程を実行するように制御してもよい。第２工程とは、ＥＤＩスタック２０への通電が停止されている状態において、ＥＤＩスタック２０の脱塩室２１を通過した通過水Ｗ６（第２透過水）を脱塩水リターンラインＬ９（第２循環水ライン）を介して第１ＲＯ膜モジュール１１の上流側へ返送するように第２流路切換弁６３（第２循環手段）を制御し、且つ、第１ＲＯ膜モジュール１１の一次側に滞留する原水Ｗ１を第１ＲＯ濃縮水排出ラインＬ４１を介して装置の外（系外）へ排出するように加圧ポンプ５を制御する工程である。
【０１４１】
具体的には、第２工程においては、ＥＤＩスタック２０への通電が停止されている状態において、第２流路切換弁６３を循環側流路に設定され、且つ第３ＲＯ弁１０３が開放に設定された状態下で加圧ポンプ５を駆動することにより、ＥＤＩスタック２０を通過した通過水Ｗ６（第２透過水）を、脱塩水リターンラインＬ９を介して原水タンク４へ返送する。同時に、第１ＲＯ膜モジュール１１の一次側に滞留する原水Ｗ１を第１ＲＯ濃縮水排出ラインＬ４１を介して装置の外（系外）へ排出する。
【０１４２】
また、前記実施形態においては、原水タンク４に貯留される原水Ｗ１の温度を測定するタンク内温度センサ４３を備え、制御部３０は、タンク内温度センサ４３により測定された原水Ｗ１の温度に基づいて、待機状態となってからの待機継続時間を設定したが、これに制限されない。例えば、外気の温度を測定する外気温度センサを備え、制御部３０は、外気温度センサにより測定された外気の温度に基づいて、待機状態となってからの待機継続時間を設定してもよい。
【０１４３】
また、前記実施形態においては、制御部３０は、タンク内温度センサ４３により測定された原水Ｗ１の温度が高いほど、待機状態となってからの待機継続時間を短くするように設定するように制御したが、これに制限されない。例えば、制御部３０は、タンク内温度センサ４３により測定された原水Ｗ１の温度が高いほど、第１ＲＯ濃縮水排出ラインＬ４１（排出ライン）を介して原水Ｗ１を排出する排出時間を長くするように制御してもよい。この場合には、第１ＲＯ膜モジュール１１の一次側に滞留する原水Ｗ１を多量に排出することにより、細菌の繁殖速度が高くなる温度条件でも、繁殖の進行を抑制することができる。
【０１４４】
また、前記実施形態においては、逆浸透膜モジュールを、第１ＲＯ膜モジュール１１及び第２ＲＯ膜モジュール１２を直列に２段で配置した構成としたが、これに制限されない。逆浸透膜モジュールを、第１ＲＯ膜モジュール１１のみの１段により構成してもよい。
【符号の説明】
【０１４５】
１  純水製造装置
２  活性炭濾過器（脱塩素装置）
４  原水タンク（供給水貯留タンク）
５  加圧ポンプ（排出手段）
１１  第１ＲＯ膜モジュール（逆浸透膜モジュール）
１２  第２ＲＯ膜モジュール（逆浸透膜モジュール）
２０  ＥＤＩスタック（電気脱イオンスタック）
２１  脱塩室
３０  制御部
３１  報知部（報知手段）
４１  水位センサ（水位測定手段）
４３  タンク内温度センサ（温度測定手段）
５１  第１電気伝導率センサ（電気伝導率測定手段）
６１  原水補給弁（弁）
６２  第１流路切換弁（第１循環手段）
６３  第２流路切換弁（第２循環手段）
Ｌ１  原水ライン（供給水ライン）
Ｌ２  第１透過水ライン（透過水ライン）
Ｌ３  第２透過水ライン（透過水ライン）
Ｌ７  第２ＲＯ透過水リターンライン（第１循環水ライン）
Ｌ８  脱塩水ライン
Ｌ９  脱塩水リターンライン（第２循環水ライン）
Ｌ４１  第１ＲＯ濃縮水排出ライン（排出ライン）
Ｗ１  原水（供給水）
Ｗ２  第１透過水（透過水）
Ｗ４  第２透過水（透過水）
Ｗ６  通過水、脱塩水（脱塩室を通過した水）
【図１】
2014104398.tif 000003
【図２】
2014104398.tif 000004
【図３】
2014104398.tif 000005